【手続補正書】
【提出日】平成18年4月4日(2006.4.4)
【手続補正１】
【補正対象書類名】明細書
【補正対象項目名】特許請求の範囲
【補正方法】変更
【補正の内容】
【特許請求の範囲】
【請求項１】
上位装置に接続され、該上位装置との間で情報の授受を行うディスクアレイ装置において、
それぞれスピンドルの回転を制御することにより電力消費を抑制する節電モードを有する２以上の磁気ディスク装置と、
前記磁気ディスク装置の組と上位装置からのアクセスとを対応付ける機能と、上位装置からのアクセスから次のアクセスまでの時間を計数する機能と、磁気ディスク装置を特定して該磁気ディスク装置に前記節電モードを実行させる機能とを有する制御部と
を備え、
前記制御部は、
前記磁気ディスク装置の組に対して所定の時間アクセスが無い場合に、該磁気ディスク装置の組を構成する各前記磁気ディスク装置に前記節電モードを実行させる
ことを特徴とするディスクアレイ装置。
【請求項２】
上位装置に接続され、該上位装置との間で情報の授受を行うディスクアレイ装置において、
それぞれ電子回路の一部の電力消費を抑制する節電モードを有する２以上の磁気ディスク装置と、
前記磁気ディスク装置の組と上位装置からのアクセスとを対応付ける機能と、上位装置からのアクセスから次のアクセスまでの時間を計数する機能と、磁気ディスク装置を特定して該磁気ディスク装置に前記節電モードを実行させる機能とを有する制御部と
を備え、
前記制御部は、
前記磁気ディスク装置の組に対して所定の時間アクセスが無い場合に、該磁気ディスク装置の組を構成する各前記磁気ディスク装置に前記節電モードを実行させる
ことを特徴とするディスクアレイ装置。
【請求項３】
上位装置に接続され、該上位装置との間で情報の授受を行うディスクアレイ装置において、
節電モードを有する２以上の磁気ディスク装置と、
前記磁気ディスク装置の組と上位装置からのアクセスとを対応付ける機能と、該磁気ディスク装置の組の１つに２以上の論理ユニットを対応させる機能と、上位装置からのアクセスから次のアクセスまでの時間を計数する機能と、磁気ディスク装置を特定して該磁気ディスク装置に前記節電モードを実行させる機能とを有する制御部と
を備え、
前記制御部は、
前記磁気ディスク装置の組の１つに対応させた前記２以上の論理ユニットの全てに対して所定の時間アクセスが無い場合に、該磁気ディスク装置の組を構成する各前記磁気ディスク装置に節電モードを実行させる
ことを特徴とするディスクアレイ装置。
【請求項４】
上位装置に接続され、該上位装置との間で情報の授受を行うディスクアレイ装置において、
それぞれ節電モードを有する２以上の磁気ディスク装置と、
前記磁気ディスク装置の組と上位装置からのアクセスとを対応付ける機能と、該磁気ディスク装置の組を超えて一の論理ユニットを対応させる機能と、上位装置からのアクセスから次のアクセスまでの時間を計数する機能と、磁気ディスク装置を特定して該磁気ディスク装置に前記節電モードを実行させる機能とを有する制御部と
を備え、
前記制御部は、
前記一の論理ユニットに対して所定の時間アクセスが無い場合に、該一の論理ユニットを構成する各前記磁気ディスク装置に節電モードを実行させる
ことを特徴とするディスクアレイ装置。
【請求項５】
前記節電モードは、
スピンドルの回転を制御することにより電力消費を抑制するモードである
ことを特徴とする請求項３又は請求項４記載のディスクアレイ装置。
【請求項６】
上位装置に接続され、該上位装置との間で情報の授受を行うディスクアレイ装置において、
節電モードを有する２以上の磁気ディスク装置と、
前記磁気ディスク装置の組と上位装置からのアクセスとを対応付ける機能と、上位装置からのアクセスから次のアクセスまでの時間を計数する機能と、磁気ディスク装置を特定して該磁気ディスク装置に前記節電モードを実行させる機能と、磁気ディスク装置の診断を行う機能とを有する制御部と
を備え、
前記制御部は、
前記磁気ディスク装置の組に対して所定の時間アクセスが無い場合に、該磁気ディスクの組を構成する各前記磁気ディスク装置に節電モードを実行させ、所定時間経過後又は指定した時刻に、該節電モードを実行していた各前記磁気ディスク装置に対して診断を行う
ことを特徴とするディスクアレイ装置。
【請求項７】
上位装置に接続され、該上位装置との間で情報の授受を行うディスクアレイ装置において、
節電モードを有する２以上の磁気ディスク装置と、
前記磁気ディスク装置の組と上位装置からのアクセスとを対応付ける機能と、該磁気ディスク装置の組の１つに２以上の論理ユニットを対応させる機能と、上位装置からのアクセスから次のアクセスまでの時間を計数する機能と、磁気ディスク装置を特定して該磁気ディスク装置に前記節電モードを実行させる機能とを有する制御部と
を備え、
前記制御部は、
１つの前記磁気ディスク装置の組と対応する前記２以上の論理ユニットの全てに対して所定の時間アクセスが無い場合に、当該磁気ディスク装置の組を構成する各前記磁気ディスク装置に前記節電モードを実行させ、所定時間経過後又は指定した時刻に、該節電モードを実行していた各前記磁気ディスク装置に対して診断を行う
ことを特徴とするディスクアレイ装置。
【請求項８】
上位装置に接続され、該上位装置との間で情報の授受を行うディスクアレイ装置において、
節電モードを有する２以上の磁気ディスク装置と、
前記磁気ディスク装置の組と上位装置からのアクセスとを対応付ける機能と、該磁気ディスク装置の組を超えて１の論理ユニットを対応させる機能と、上位装置からのアクセスから次のアクセスまでの時間を計数する機能と、磁気ディスク装置を特定して当該磁気ディスク装置に前記節電モードを実行させる機能とを有する制御部と
を備え、
前記１の論理ユニットに対して所定の時間アクセスが無い場合に、該１の論理ユニットと対応させた前記磁気ディスク装置の組を構成する各前記磁気ディスク装置に前記節電モードを実行させ、所定時間経過後又は指定した時刻に、該節電モードにあった各前記磁気ディスク装置に対して診断を行う
ことを特徴とするディスクアレイ装置。
【請求項９】
前記所定のアクセスが無い場合の所定の時間を、上位装置から指定する
ことを特徴とする請求項１乃至請求項８のいずれか１項に記載のディスクアレイ装置。
【請求項１０】
前記所定時間経過後の所定時間又は前記時刻を、上位装置から指定する
ことを特徴とする請求項６乃至請求項８のいずれか１項に記載のディスクアレイ装置。
【請求項１１】
上位装置に接続され、該上位装置との間で情報の授受を行うディスクアレイ装置において、
節電モードを有する２以上の磁気ディスク装置と、
前記磁気ディスク装置の組と上位装置からのアクセスとを対応付ける機能と、該磁気ディスク装置の組の１つに２以上の論理ユニットを対応させる機能と、上位装置からのアクセスから次のアクセスまでの時間を計数する機能と、磁気ディスク装置を特定して当該磁気ディスク装置に前記節電モードを実行させる機能と、ＬＡＮ若しくはＲＳ２３２Ｃを制御する機能とを有する制御部と
を備え、
前記制御部は、
前記磁気ディスク装置の組の１つに対応させた前記２以上の論理ユニットの全てに対して所定の時間アクセスが無い場合に、該磁気ディスク装置の組を構成する各前記磁気ディスク装置に節電モードを実行させることの指定を、前記ＬＡＮ若しくはＲＳ２３２Ｃを経由して行う
ことを特徴とするディスクアレイ装置。
【請求項１２】
上位装置に接続され、該上位装置との間で情報の授受を行うディスクアレイ装置において、
節電モードを有する２以上の磁気ディスク装置と、
前記磁気ディスク装置の組と上位装置からのアクセスとを対応付ける機能と、該磁気ディスク装置の組を超えて１の論理ユニットを対応させる機能と、上位装置からのアクセスから次のアクセスまでの時間を計数する機能と、磁気ディスク装置を特定して当該磁気ディスク装置に前記節電モードを実行させる機能と、ＬＡＮ若しくはＲＳ２３２Ｃを制御する機能とを有する制御部と
を備え、
前記制御部は、
前記一の論理ユニットに対して所定の時間アクセスが無い場合に、該一の論理ユニットを構成する各前記磁気ディスク装置に節電モードを実行させることの指定を、前記ＬＡＮ若しくはＲＳ２３２Ｃを経由して行う
ことを特徴とするディスクアレイ装置。
【請求項１３】
上位装置に接続され、該上位装置との間で情報の授受を行うディスクアレイ装置において、
節電モードを有する２以上の磁気ディスク装置と、
前記磁気ディスク装置の組と上位装置からのアクセスとを対応付ける機能と、該磁気ディスク装置の組の１つに２以上の論理ユニットを対応させる機能と、上位装置からのアクセスから次のアクセスまでの時間を計数する機能と、磁気ディスク装置を特定して当該磁気ディスク装置に前記節電モードを実行させる機能と、ＬＡＮ若しくはＲＳ２３２Ｃを制御する機能とを有する制御部と
を備え、
前記制御部は、
１つの前記磁気ディスク装置の組と対応する前記２以上の論理ユニットの全てに対して所定の時間アクセスが無い場合に、前記磁気ディスク装置の組を構成する各前記磁気ディスク装置に前記節電モードを実行させ、所定時間経過後又は指定した時刻に、該節電モードを実行していた各前記磁気ディスク装置に対して診断を行う
ことを特徴とするディスクアレイ装置。
【請求項１４】
上位装置に接続され、該上位装置との間で情報の授受を行うディスクアレイ装置において、
節電モードを有する２以上の磁気ディスク装置と、
前記磁気ディスク装置の組と上位装置からのアクセスとを対応付ける機能と、該磁気ディスク装置の組を超えて１の論理ユニットを対応させる機能と、上位装置からのアクセスから次のアクセスまでの時間を計数する機能と、磁気ディスク装置を特定して当該磁気ディスク装置に前記節電モードを実行させる機能と、ＬＡＮ若しくはＲＳ２３２Ｃを制御する機能とを有する制御部と
を備え、
前記制御部は、
前記１の論理ユニットに対して所定の時間アクセスが無い場合に、該１の論理ユニットと対応させた前記磁気ディスク装置の組を構成する各前記磁気ディスク装置に前記節電モードを実行させ、所定時間経過後又は指定した時刻に、該節電モードにあった各前記磁気ディスク装置に対して診断を行う
ことを特徴とするディスクアレイ装置。
【請求項１５】
前記所定時間経過後の所定時間又は前記時刻の指定を、前記ＬＡＮ若しくはＲＳ２３２Ｃを経由して行う
ことを特徴とする請求項１３及び請求項１４のいずれか１項に記載のディスクアレイ装置。
【手続補正２】
【補正対象書類名】明細書
【補正対象項目名】００２５
【補正方法】変更
【補正の内容】
【００２５】
スペア用磁気ディスク装置１９１は、ＲＡＩＤグループを構成した磁気ディスク装置１９０に障害が発生したとき、代替用の磁気ディスク装置として使用する。具体的には、診断を実行して障害を検出し、障害のある磁気ディスク装置１９０とスペア用磁気ディスク装置１９１を置換する。図１ではスペア用磁気ディスク装置は１台のみが図示されているが、これに限られない。
【手続補正３】
【補正対象書類名】明細書
【補正対象項目名】００３４
【補正方法】変更
【補正の内容】
【００３４】
ディスクアレイ装置１１０は、磁気ディスク装置１９０の電源を投入し、磁気ディスク装置１９０の正常動作を確認した後、記憶装置管理テーブル２５０の、設定ＬＵＮ、管理ＬＵＮ、アクセス時刻（磁気ディスク装置１９０の正常を確認した時刻）、磁気ディスク装置位置、および、関連ＬＵＮを登録する（図３）。管理ＬＵＮは、ＲＡＮＫｎ（２０２）が、複数の磁気ディスク装置１９０で構成されている場合に、ロジカルユニットを列毎に分割管理する情報を登録する。ＬＵ４（２１４）は、管理ＬＵＮに、ＬＵ４−１とＬＵ４−２として登録する。関連ＬＵＮは、ＲＡＮＫ１（２０１）に示すように、同一のＲＡＮＫ内に複数のロジカルユニットが設定されている場合に、関連するＬＵＮを登録する。ＬＵ１（２１１）の関連ＬＵＮにはＬＵ２（２１２）を、ＬＵ２（２１２）の関連ＬＵＮにはＬＵ１（２１１）を登録する。
【手続補正４】
【補正対象書類名】明細書
【補正対象項目名】００３８
【補正方法】変更
【補正の内容】
【００３８】
図４の電源オフ処理では、設定されているロジカルユニット単位に、磁気ディスク装置管理テーブル２５０のアクセス時刻を監視する。上位装置からアクセスされなくなったロジカルユニットをアクセス時刻に登録された時刻と現在の時刻を比較し、その差が節電待ち時間２６０を超えた時点で、対象のロジカルユニットに属する磁気ディスク装置１９０を、磁気ディスク装置管理テーブル２５０の磁気ディスク装置位置から判断し、磁気ディスク装置位置に登録されている磁気ディスク装置１９０の電源を遮断するか又は節電モードとする。電源を遮断した時刻は、節電開始時刻（図２）に登録する。